(57)【要約】【課題】ハウジング内に装備された端子の永久変形を確実に防止させる。【解決手段】ヒューズエレメント１７の側方に端子１５が設けられヒューズエレメント１７保護用の膨出部１２をヒューズ本体１１の略中心部１１ｃに備えるヒューズ１０が、ハウジング５０に装着可能なヒューズキャビティ５５において、ハウジング５０に対してヒューズ１０が斜めに挿入されることを防止する案内部６７Ａ，６７Ｂがハウジング５０内に設けられ、案内部６７Ａ，６７Ｂと、膨出部１２とは、当接可能とされた。案内部６７Ａ，６７Ｂにテーパ部６７ｃ，６７ｄ，６７ｅ，６７ｆが設けられた。案内部６７Ａ，６７Ｂの高さは、ハウジング５０内に装着された端子３０の高さよりも高く設定された。前記ヒューズキャビティ５５は、電気接続箱１に備えられた。【選択図】      図３
2005051876.tif 000002
【特許請求の範囲】
【請求項１】
ヒューズエレメントの側方に端子が設けられ該ヒューズエレメント保護用の膨出部をヒューズ本体の略中心部に備えるヒューズが、ハウジングに装着可能なヒューズキャビティにおいて、前記ハウジングに対して前記ヒューズが斜めに挿入されることを防止する案内部が該ハウジング内に設けられ、該案内部と、該膨出部とは、当接可能とされたことを特徴とするヒューズキャビティ。
【請求項２】
前記案内部にテーパ部が設けられたことを特徴とする請求項１記載のヒューズキャビティ。
【請求項３】
前記案内部の高さは、前記ハウジング内に装着された端子の高さよりも高く設定されたことを特徴とする請求項１又は２記載のヒューズキャビティ。
【請求項４】
請求項１〜３の何れか１項に記載のヒューズキャビティを備えることを特徴とする電気接続箱。
【発明の詳細な説明】
【０００１】
【発明の属する技術分野】
本発明は、例えば自動車に用いられる電気接続箱および電気接続箱に設けられたヒューズキャビティに関するものである。
【０００２】
【従来の技術】
図１８，図１９は、従来のヒューズキャビティおよび電気接続箱を示すものである。
図１８の如く、ミニヒューズ２０は、合成樹脂製のヒューズ本体２１と、ヒューズ本体２１の両側から突設された一対の金属製のタブ状端子２５とを備える背の高いヒューズ２０として構成されている。
【０００３】
ヒューズ本体２１内に、略横向きのＳ字上に形成された金属製のヒューズエレメント２７が設けられている。ヒューズエレメント２７は、一対のタブ状端子２５を通電可能に接続するものとされている。また、ヒューズエレメント２７は、ヒューズ２０が接続された電気回路に過大な電流が流されると、溶かされて回路を遮断する可溶体２７とされている。
【０００４】
図１８の如く、背の高いヒューズ２０がハウジング１５０に装着されることで、ハウジング１５０の収容部１７２内に装備された音叉端子３０と、ヒューズ２０のタブ状端子２５とが通電可能に接触される（図１９）。ヒューズ２０のタブ状端子２５が音叉端子３０に接続されるときに、音叉端子３０の一対の挟持腕３１の間に、ヒューズ２０のタブ状端子２５が挿入され、ヒューズ２０のタブ状端子２５が音叉端子３０の一対の挟持腕３１に挟み込まれることにより、ヒューズ２０と、バスバー１４０とが通電可能に接続される。
【０００５】
【発明が解決しようとする課題】
しかしながら、上記従来のヒューズキャビティ１５５および電気接続箱１０１にあっては、ヒューズ２０がハウジング１５０に斜めに挿入される場合、音叉端子３０の挟持腕３１の外周部３１ａと、ハウジング１５０の側壁１６１との間に、ヒューズ２０のタブ状端子２５の先端部２６に設けられたテーパ部２６ａが入り込むことが考えられる。
【０００６】
音叉端子３０の挟持腕３１の外周部３１ａと、ハウジング１５０の側壁１６１との間に、ヒューズ２０のタブ状端子２５が深く入り込むと、音叉端子３０に永久変形が生じる。また、ヒューズ２０のタブ状端子２５にも永久変形が生じる。例えば音叉端子３０の挟持腕３１に永久変形が生じた場合、ヒューズ２０のタブ状端子２５が音叉端子３０に接続されるときに、ヒューズ２０のタブ状端子２５に対する音叉端子３０の接圧を通常の通りに保つことができなくなるといった不具合の発生が懸念されていた。また、このような不具合は、図１８，図１９に示されるヒューズ２０がハウジング１５０に装着されるときばかりでなく、別の形状のヒューズが別の形状のハウジングに装着されるときにも発生されるものと懸念されていた。
【０００７】
本発明は、上記した点に鑑み、ハウジング内に装備された端子の永久変形を確実に防止できるヒューズキャビティおよび電気接続箱を提供することを目的とする。
【０００８】
【課題を解決するための手段】
上記目的を達成するために、本発明の請求項１に係るヒューズキャビティは、ヒューズエレメントの側方に端子が設けられ該ヒューズエレメント保護用の膨出部をヒューズ本体の略中心部に備えるヒューズが、ハウジングに装着可能なヒューズキャビティにおいて、前記ハウジングに対して前記ヒューズが斜めに挿入されることを防止する案内部が該ハウジング内に設けられ、該案内部と、該膨出部とは、当接可能とされたことを特徴とする。
【０００９】
上記構成により、ヒューズがハウジングに斜めに挿入されようとした場合、ヒューズに設けられたヒューズエレメント保護用の膨出部が、ハウジングに設けられた案内部に摺接されながら、ハウジング内にヒューズが挿入されるから、ハウジングに対し、ヒューズは安定した状態で装着されることとなる。ヒューズに設けられた膨出部は、ハウジング内に設けられた案内部に当接され、このような状態で、ヒューズは、ハウジング内に装着される。また、ハウジングと、ハウジング内に装備された端子との間に、ヒューズの端子が入り込んで端子に永久変形が生じ、端子が損傷されるといった不具合の発生は、未然に防止されることとなる。
【００１０】
請求項２に係るヒューズキャビティは、請求項１記載のヒューズキャビティにおいて、前記案内部にテーパ部が設けられたことを特徴とする。
【００１１】
上記構成により、ハウジングにヒューズが挿入されるときに、ヒューズは、ハウジングの案内部の上側に設けられたテーパ部にガイドされながらハウジング内に挿入される。従って、ハウジングに対するヒューズの挿入作業は、行われ易いものとなる。
【００１２】
請求項３に係るヒューズキャビティは、請求項１又は２記載のヒューズキャビティにおいて、前記案内部の高さは、前記ハウジング内に装着された端子の高さよりも高く設定されたことを特徴とする。
【００１３】
上記構成により、ハウジングにヒューズが挿入されるときに、ハウジング内の端子と、ヒューズの端子とが当接されるときよりも早く、ハウジングの案内部と、ヒューズの膨出部とが当接されることとなる。従って、ハウジングにヒューズが挿入されるときに、ヒューズは、ハウジングの案内部にガイドされながらハウジング内に挿入されることとなる。これにより、ヒューズが甚だしく傾けられた状態でハウジングに挿入されるということは回避され、こじりが発生されることなく、ヒューズは、ハウジングに挿着されることとなる。
【００１４】
請求項４に係る電気接続箱は、請求項１〜３の何れか１項に記載のヒューズキャビティを備えることを特徴とする。
【００１５】
上記構成により、ヒューズキャビティに安定した状態でヒューズを装着可能な電気接続箱が提供されることとなる。また、ハウジング内の端子が損傷されることのない電気接続箱の提供が可能となる。
【００１６】
【発明の実施の形態】
以下に本発明に係るヒューズキャビティおよび電気接続箱の一実施形態を図面に基づいて詳細に説明する。
図１〜図１７は、本発明に係るヒューズキャビティおよび電気接続箱の一実施形態を示すものである。
【００１７】
図１は、図１５のＡ−Ａ断面図、図８は、図１５のＢ−Ｂ断面図、図９は、図１５のＣ−Ｃ断面図である。また、図５は、図１６のＤ−Ｄ断面図、図１３は、図１６のＥ−Ｅ断面図である。また、図７は、図１７のＦ−Ｆ断面図、図１４は、図１７のＧ−Ｇ断面図である。
【００１８】
図１〜図１７において、図１８，図１９に示される部分と同一とされる部分については、同一の符号を付しその詳細な説明を省略した。
また、図３，図１０の如く、ハウジング５０にヒューズ１０が挿入される側を上側とし、これの反対側を下側とする。なお、この明細書における「上下」の定義は、図面を用いてヒューズキャビティおよび電気接続箱を説明するための便宜上のものとされる。
【００１９】
図２の如く、ヒューズ１０は、合成樹脂製のヒューズ本体１１と、ヒューズ本体１１の両側に位置する一対の金属製の平板状端子１５とを備える背の低いヒューズ１０として構成されている。図２，図１０の如く、合成樹脂製のヒューズ本体１１は、頭部１３と、頭部１３から延設されたヒューズエレメント１７（図２）保護用の膨出部１２（図２，図１０）と、頭部１３および膨出部１２よりも幅狭な一対の突出部１４とを備えるものとして形成されている。膨出部１２の両側から、幅狭な突出部１４が延設されている。また、幅狭な突出部１４の側縁部１４ｂに沿って、平板状端子１５が突出部１４から突設されている。符号１４ｃは、ヒューズ本体１１と、平板状端子１５とを確実に位置決め固定させる係止部とされる。
【００２０】
また、ヒューズエレメント１７保護用の膨出部１２（図２，図１０）が、ヒューズ本体１１の略中心部１１ｃに設けられている。略Ｕ字状の金属製ヒューズエレメント１７（図２）は、一対の平板状端子１５を通電可能に接続するものとされている。また、金属製のヒューズエレメント１７は、ヒューズ１０が接続された電気回路に過大な電流が流されると、溶かされて回路を遮断する可溶体１７とされている。また、ヒューズエレメント１７を外部のものから保護する膨出部１２は、略矩形箱状の絶縁ハウジング１２として形成されている。絶縁ハウジング１２内には、ヒューズエレメント１７が十分に隙間をもって収納可能な略矩形箱状の収容部１２ａが設けられている。
【００２１】
また、平板状端子１５の先端部１６に、幅広なテーパ部１６ａと、幅狭なテーパ部１６ｂとが設けられている。平板状端子１５の先端部１６の幅広なテーパ部１６ａは、ヒューズ１０の平板状端子１５が、バスバー４０（図１０，図１１）の音叉端子３０を形成する一対の挟持腕３１間に挿着されて、両者が通電可能に接続される（図１３）ときに、図１２の如く、平板状端子１５の先端部１６が、音叉端子３０を形成する一対の弾性挟持腕３１の自由端３２を押し広げ易くさせるために設けられたものとされている。図１３の如く、ハウジング５０に組付けられたヒューズ１０の平板状端子１５は、音叉端子３０を形成する一対の可撓性腕３１の自由端３２に、確実に挟持され続ける。
【００２２】
また、ハウジング５０（図５，図１３）に組付けられたヒューズ１０が、ハウジング５０から容易に引抜き可能なものとされるために、図２，図１０の如く、ヒューズ本体１１に、ヒューズプラーなどの治具（図示せず）の先端部に対応した段差状の治具係合部１４ａが設けられている。治具係合部１４ａは、頭部１３と、突出部１４とを少なくとも備えるものとして形成されている。また、ヒューズ１０は、背の低いヒューズとされていることから、例えば低背ヒューズ、小型ヒューズ１０などと呼ばれる。
【００２３】
図１８に示される背の高いヒューズ２０に比べ、図２の如く、背の低いヒューズ１０は、略半分程度の高さのものとされている。ヒューズ本体１１内に備えられたヒューズエレメント１７の両側方に、平板状端子１５が設けられることで、第一のヒューズ１０（図２）は、第二のヒューズ２０（図７，図１８）の略１／２の高さのものとして形成される。
【００２４】
第二のヒューズ２０（図７，図１８）と比べて、第一のヒューズ１０（図２）は、低背型の小型ヒューズ１０とされていることから、図５，図１３の如く、一度、ハウジング５０の収容部７２内に挿着された第一のヒューズ１０は、ハウジング５０から易々と手では抜けないものとされている。第一のヒューズ１０（図２〜図５）または第二のヒューズ２０（図６，図７）は、不図示のヒューズプラーなどの治工具が用いられてハウジング５０から引き抜かれる。
【００２５】
図１，図８，図９，図１５に示す合成樹脂製のハウジング５０は、図３〜図５，図１０〜図１３，図１６の如く、第一のヒューズ１０が、ハウジング５０に設けられたヒューズキャビティ５５の開口部７１から収容部７２内に挿着可能な形状のものとして形成されている。また、図１，図８，図９，図１５に示すハウジング５０は、図６，図７，図１４，図１７の如く、第二のヒューズ２０が、ハウジング５０に設けられたヒューズキャビティ５５の開口部７１から収容部７２内に挿着可能な形状のものとして形成されている。このように、ハウジング５０のヒューズキャビティ５５は、第一のヒューズ１０および第二のヒューズ２０が共用して挿着可能な形状のものとされている。
【００２６】
図１，図８，図９，図１５の如く、ヒューズキャビティ５５は、一対の側壁６１と、側壁６１に略直交する一対の側壁６２と、前記側壁６１および前記側壁６２に略直交する奥壁６５とを備えるものとして構成されている。各壁６１，６２，６５により、ヒューズキャビティ５５が形成される。ヒューズキャビティ５５は、ハウジング５０により形成され、ハウジング５０は、基壁５に設けられている。
【００２７】
多数の側壁（６１）（図８，図９，図１５）が等間隔で並設され、これに伴って、一対の側壁（６２）が延長されたものも使用可能とされる。その場合、各側壁（６１）（図８，図９，図１５）は、ヒューズキャビティ５５の収容部７２を区分する隔壁とされる。また、上記ヒューズプラーなどの治具（図示せず）の先端部に対応した略矩形状の切欠部６１ａ（図１，図８，図９）が、ハウジング５０の一側壁６１に設けられている。
【００２８】
ハウジング５０（図４，図１１，図１２）に対し、第一のヒューズ１０が傾斜された状態のままで挿入されることを防止する案内部６７Ａ，６７Ｂ（図１，図９，図１５）が、ハウジング５０を形成する一側壁６１からヒューズキャビティ５５の収容部７２の内側に向けて突設されている。図１，図９の如く、この案内部６７Ａ，６７Ｂは、上下方向に延設された突条部６７Ａ，６７Ｂとして形成されている。図１，図９，図１５に示す形状の案内部６７Ａ，６７Ｂは、一実施形態のものを示したものにすぎず、各種形状のリブ、ボスなどとして形成された案内部が使用可能とされる。
【００２９】
ハウジング５０（図１，図９，図１５）の一側壁６１に設けられた案内部６７Ａ，６７Ｂと、第一のヒューズ１０（図２，図１０，図１６）のヒューズ本体１１に設けられた膨出部１２とは、当接もしくは摺接可能なものとされている（図３〜図５，図１０〜図１３，図１６）。また、ハウジング５０（図１，図９，図１５）の一側壁６１に設けられた案内部６７Ａ，６７Ｂと、第一のヒューズ１０（図２，図１０，図１６）のヒューズ本体１１に設けられた幅狭な突出部１４の側縁部１４ｂとは、当接もしくは摺接可能なものとされている（図３〜図５，図１０〜図１３，図１６）。
【００３０】
ハウジング５０（図１，図８，図９，図１５）の側壁６１に設けられた溝部７８に、バスバー４０（図３，図１０，図１６）の音叉端子３０が挿入される。バスバー４０の音叉端子３０の湾曲状先端部３２（図３，図１０）が、ハウジング５０（図１，図８，図９）の溝部７８の挿入口７８ａから挿入口７８ａの傾斜ガイド面７８ｂに案内されながら、ハウジング５０（図３，図１０，図１６）の溝部７８にバスバー４０が挿着される。端部に音叉端子３０が設けられた金属製のバスバー４０は、略直角に折り曲げられて基壁５と略平行に延設される。
【００３１】
図３，図４，図１０〜図１２の如く、第一のヒューズ１０がハウジング５０に装着されることで、図５，図１３の如く、ハウジング５０の収容部７２内に装備された音叉端子３０と、第一のヒューズ１０の平板状端子１５とが通電可能に接触される。図１０〜図１２の如く、第一のヒューズ１０の平板状端子１５が音叉端子３０に接続されるときに、音叉端子３０の一対の挟持腕３１の間に、第一のヒューズ１０の平板状端子１５が挿入され、第一のヒューズ１０の平板状端子１５が音叉端子３０の一対の挟持腕３１に挟み込まれることにより、図１３の如く、第一のヒューズ１０と、バスバー４０とが通電可能に接続される。
【００３２】
図４，図１１，図１２の如く、ヒューズ１０が傾斜された状態でハウジング５０に挿入されようとした場合、ヒューズ１０に設けられたヒューズエレメント１７保護用の膨出部１２が、ハウジング５０に設けられた案内部６７Ａ，６７Ｂに摺接されながら、ハウジング５０の収容部７２内にヒューズ１０が挿入されるから、図５，図１３の如く、ハウジング５０に対し、ヒューズ１０は安定した状態で装着される。ヒューズ１０に設けられた膨出部１２は、ハウジング５０内に設けられた案内部６７Ａ，６７Ｂに当接可能なものとされている。このような状態で、ヒューズ１０は、ハウジング５０内に装着される。
【００３３】
また、例えばハウジング５０（図１０，図１１）の側壁６１の内側と、ハウジング５０内に装備されたバスバー４０の音叉端子３０の外周部３１ａとの間に、第一のヒューズ１０を構成する平板状端子１５の先端部１６や、先端部１６に続く突出部１６ｃ（図２〜図４）が入り込んで、バスバー４０（図１０，図１１）の音叉端子３０もしくは第一のヒューズ１０の平板状端子１５の何れか一方または両方の端子１５，３０に永久変形が生じ、何れか一方の端子１５，３０または両方の端子１５，３０が損傷されるといった不具合の発生は、未然に防止される。バスバー４０の音叉端子３０は、第一のヒューズ１０（図１０〜図１３）の平板状端子１５および第二のヒューズ２０（図１４）のタブ状端子２５が、共用して挿着可能な形状に形成されている。
【００３４】
また、第二のヒューズ２０（図１４）が傾斜された状態でハウジング５０に挿入されようとするときにも、第二のヒューズ２０のタブ状端子２５の損傷は、未然に防止される。第二のヒューズ２０（図１４）が傾斜された状態でハウジング５０に挿入されるとき、第二のヒューズ２０のタブ状端子２５の先端部２６は、ハウジング５０（図１，図９，図１５，図１７）の側壁６１に設けられた案内部６７Ａ，６７Ｂに当接される。
【００３５】
従って、ハウジング５０（図１４）の側壁６１の内側と、ハウジング５０内に装備されたバスバー４０の音叉端子３０の外周部３１ａとの間に、第二のヒューズ２０を構成するタブ状端子２５の先端部２６が入り込んで、バスバー４０の音叉端子３０もしくは第二のヒューズ２０のタブ状端子２５の何れか一方または両方の端子２５，３０に永久変形が生じ、何れか一方の端子２５，３０または両方の端子２５，３０が損傷されるといった不具合の発生は、未然に防止される。
【００３６】
図１，図９，図１５の如く、案内部６７Ａのハウジング５０の開口部７１側に、ハウジング５０に対するヒューズの挿着作業を行わせ易くさせるテーパ部６７ｃ，６７ｄが設けられている。また、図１，図１５の如く、案内部６７Ｂのハウジング５０の開口部７１側に、ハウジング５０に対するヒューズの挿着作業を行わせ易くさせるテーパ部６７ｅ，６７ｆが設けられている。
【００３７】
図１，図１５の如く、一対の案内部６７Ａ，６７Ｂの先端部６７ｇ，６７ｈにおいて、一対の案内部６７Ａ，６７Ｂの上側かつ内側に、ハウジング５０に対するヒューズの挿着作業を行わせ易くさせるテーパ部６７ｃ，６７ｅが設けられている。また、図１５の如く、一対の案内部６７Ａ，６７Ｂの先端部６７ｇ，６７ｈにおいて、一対の案内部６７Ａ，６７Ｂの上側かつ内側に、ハウジング５０に対するヒューズの挿着作業を行わせ易くさせるテーパ部６７ｄ，６７ｆが設けられている。各テーパ部６７ｃ，６７ｄ，６７ｅ，６７ｆは、テーパガイド面６７ｃ，６７ｄ，６７ｅ，６７ｆとして形成されている。図１５の如く、ハウジング５０が平面視されたときに、四つの案内部６７Ａ，６７Ｂは、略対角に位置するものとされている。
【００３８】
ハウジング５０の収容部７２に第一のヒューズ１０が挿入されるときに、第一のヒューズ１０は、ハウジング５０の案内部６７Ａ，６７Ｂの上側に設けられた各テーパ部６７ｃ，６７ｄ，６７ｅ，６７ｆにガイドされながらハウジング５０の収容部７２内に挿入される。従って、ハウジング５０に対する第一のヒューズ１０の挿入作業は、行われ易いものとなる。各テーパ部６７ｃ，６７ｄ，６７ｅ，６７ｆは、ハウジング５０に対する第一のヒューズ１０の挿着作業を行わせ易くさせるテーパガイド面としての役割を果す。
【００３９】
図３，図６，図１０の如く、ハウジング５０の側壁６１に設けられた案内部６７Ａ，６７Ｂの先端部６７ｇ，６７ｈの高さは、ハウジング５０内に挿着された音叉端子３０の先端部３２の高さよりも高く設定されている。
【００４０】
図１０，１１の如く、ハウジング５０の収容部７２の開口部７１から第一のヒューズ１０が挿入されて、ハウジング５０の収容部７２に第一のヒューズ１０が挿入されるときに、ハウジング５０内の音叉端子３０と、第一のヒューズ１０の平板状端子１５とが当接されるときよりも早く、ハウジング５０の案内部６７Ａ，６７Ｂと、第一のヒューズ１０の膨出部１２とが当接される。
【００４１】
従って、ハウジング５０の収容部７２に第一のヒューズ１０が挿入されるときに、第一のヒューズ１０は、ハウジング５０の案内部６７Ａ，６７Ｂにガイドされながらハウジング５０の収容部７２内に挿入される。これにより、第一のヒューズ１０が甚だしく傾けられた状態でハウジング５０に挿入されるということは回避され、こじりが発生されることなく、第一のヒューズ１０は、ハウジング５０に挿着される。
【００４２】
図８，図９の如く、ハウジング５０を形成する側壁６２に溝８０が設けられている。この溝８０は、ヒューズキャビティ５５の開口部７１側の幅広部８１Ａと、幅広部８１Ａに続く幅広な真直部８１Ｂと、幅広な真直部８１Ｂに続く幅狭な真直部８１Ｃとに分けられる。ハウジング５０を形成する側壁６２の溝８０の幅広部８１Ａは、第一のヒューズ１０（図１３）の頭部１３に対応して形成されている。また、ハウジング５０（図８，図９）を形成する側壁６２の溝８０の幅広部８１Ａは、第二のヒューズ２０（図１４）のヒューズ本体２１に対応して形成されている。また、図１，図１５の如く、ハウジング５０を形成する奥壁６５に、前記溝８０を構成する幅狭な真直部８１Ｃに対応した溝６８が設けられている。
【００４３】
幅広部８１Ａ（図８，図９）と、幅広な真直部８１Ｂとの間に、第二のヒューズ２０（図６，図７，図１４）を構成するヒューズ本体２１の位置合せ部２４に対応した位置合せ部８４ａ（図１，図６〜図９，図１４）が設けられている。位置合せ部８４ａは、第二のヒューズ２０（図６，図７，図１４）を構成するヒューズ本体２１のテーパ面２４に対応したテーパ面８４ａ（図１，図６〜図９，図１４）として形成されている。
【００４４】
また、図８，図９の如く、幅広な真直部８１Ｂと、幅狭な真直部８１Ｃとの間に、第二のヒューズ２０（図６，図７，図１４）を構成するタブ状端子２５の先端部２６のテーパ部２６ａに対応したテーパ部８４ｂ（図１，図６〜図９，図１４）が設けられている。第二のヒューズ２０（図６，図７，図１４）がハウジング５０に挿着されるときに、第二のヒューズ２０を構成するタブ状端子２５の先端部２６のテーパ部２６ａが、ハウジング５０を形成する側壁６２の溝８０のテーパ部８４ｂに案内されて、第二のヒューズ２０のタブ状端子２５は、側壁６２（図６，図７，図１４，図１５）の溝８０の幅狭な真直部８１Ｃおよび奥壁６５（図６，図７，図１５）の溝６８に挿入される。このようにして、第二のヒューズ２０は、ハウジング５０に容易に装着される。
【００４５】
上記ヒューズキャビティ５５は、電気接続箱１（図３〜図７，図１０〜図１４，図１６，図１７）を構成するハウジング５０に設けられたものとされている。また、ヒューズキャビティ５５を備えるハウジング５０は、電気接続箱１を構成するブロック本体に備えられたものとされている。例えば、前記ブロック本体や、ロアカバー（図示せず）や、前記ロアカバーに組み付けられるアッパカバー（図示せず）に、各種電気・電子部品や、各種機器などが装備され、前記ブロック本体と、不図示のロアカバーと、不図示のアッパカバーとが組み上げられることで、電気接続箱１が構成される。
【００４６】
上記ヒューズキャビティ５５が、電気接続箱１を構成するハウジング５０に設けられることにより、ハウジング５０のヒューズキャビティ５５に安定した状態で各ヒューズ１０，２０を装着可能な電気接続箱１が、自動車組立メーカーなどに提供される。また、自動車組立メーカーなどに対し、上記平板状端子１５や、上記タブ状端子２５や、ハウジング５０の収容部７２内に位置する上記音叉端子３０が損傷されることのない電気接続箱１の提供が可能となる。電気接続箱１は、自動車組立メーカーなどにより、自動車（図示せず）に組み付けられる。
【００４７】
【発明の効果】
以上の如く、請求項１記載の発明によれば、ヒューズがハウジングに斜めに挿入されようとした場合、ヒューズに設けられたヒューズエレメント保護用の膨出部が、ハウジングに設けられた案内部に摺接されながら、ハウジング内にヒューズが挿入されるから、ハウジングに対し、ヒューズを安定した状態で装着させることができる。ヒューズに設けられた膨出部は、ハウジング内に設けられた案内部に当接され、このような状態で、ヒューズは、ハウジング内に装着される。また、ハウジングと、ハウジング内に装備された端子との間に、ヒューズの端子が入り込んで端子に永久変形が生じ、端子が損傷されるといった不具合の発生は、未然に防止される。
【００４８】
請求項２記載の発明によれば、ハウジングにヒューズが挿入されるときに、ヒューズは、ハウジングの案内部の上側に設けられたテーパ部にガイドされながらハウジング内に挿入される。従って、ハウジングに対するヒューズの挿入作業は、行われ易いものとなる。
【００４９】
請求項３記載の発明によれば、ハウジングにヒューズが挿入されるときに、ハウジング内の端子と、ヒューズの端子とが当接されるときよりも早く、ハウジングの案内部と、ヒューズの膨出部とを当接させることができる。従って、ハウジングにヒューズが挿入されるときに、ヒューズは、ハウジングの案内部にガイドされながらハウジング内に挿入される。これにより、ヒューズが甚だしく傾けられた状態でハウジングに挿入されるということは回避され、こじりが発生されることなく、ヒューズをハウジングに挿着させることができる。
【００５０】
請求項４記載の発明によれば、ヒューズキャビティに安定した状態でヒューズを装着可能な電気接続箱が提供される。また、ハウジング内の端子が損傷されることのない電気接続箱を提供することができる。
【図面の簡単な説明】
【図１】本発明に係るヒューズキャビティおよび電気接続箱の一実施形態に用いられるハウジングを示す横断面図である。
【図２】本発明に係るヒューズキャビティおよび電気接続箱の一実施形態に用いられるヒューズを示す正面図である。
【図３】本発明に係るヒューズキャビティおよび電気接続箱の一実施形態を示す横断面図である。
【図４】ハウジングに背の低いヒューズが装着される状態を示す横断面図である。
【図５】ハウジングに背の低いヒューズが装着された状態を示す横断面図である。
【図６】ハウジングに背の高いヒューズが装着される状態を示す横断面図である。
【図７】ハウジングに背の高いヒューズが装着された状態を示す横断面図である。
【図８】ハウジングを示す縦断面図である。
【図９】同じくハウジングを示す縦断面図である。
【図１０】ハウジングに背の低いヒューズが装着される状態を示す縦断面図である。
【図１１】同じくハウジングに背の低いヒューズが装着される状態を示す縦断面図である。
【図１２】同じくハウジングに背の低いヒューズが装着される状態を示す縦断面図である。
【図１３】ハウジングに背の低いヒューズが装着された状態を示す縦断面図である。
【図１４】ハウジングに背の高いヒューズが装着された状態を示す縦断面図である。
【図１５】ハウジングを示す平面図である。
【図１６】ハウジングに背の低いヒューズが装着された状態を示す平面図である。
【図１７】ハウジングに背の高いヒューズが装着された状態を示す平面図である。
【図１８】従来のヒューズキャビティおよび電気接続箱の一形態を示す横断面図である。
【図１９】従来のヒューズキャビティおよび電気接続箱のハウジングに背の高いヒューズが装着された状態を示す横断面図である。
【符号の説明】
１      電気接続箱
１０    小型ヒューズ（ヒューズ）
１１    ヒューズ本体
１１ｃ  中心部
１２    絶縁ハウジング（膨出部）
１５    平板状端子（端子）
１７    可溶体（ヒューズエレメント）
３０    音叉端子（端子）
５０    ハウジング
５５    ヒューズキャビティ
６７Ａ，６７Ｂ  突条部（案内部）
６７ｃ，６７ｄ，６７ｅ，６７ｆ  テーパガイド面（テーパ部）
【図１】
2005051876.tif 000003
【図２】
2005051876.tif 000004
【図３】
2005051876.tif 000005
【図４】
2005051876.tif 000006
【図５】
2005051876.tif 000007
【図６】
2005051876.tif 000008
【図７】
2005051876.tif 000009
【図８】
2005051876.tif 000010
【図９】
2005051876.tif 000011
【図１０】
2005051876.tif 000012
【図１１】
2005051876.tif 000013
【図１２】
2005051876.tif 000014
【図１３】
2005051876.tif 000015
【図１４】
2005051876.tif 000016
【図１５】
2005051876.tif 000017
【図１６】
2005051876.tif 000018
【図１７】
2005051876.tif 000019
【図１８】
2005051876.tif 000020
【図１９】
2005051876.tif 000021